(57)【要約】      （修正有）【課題】のし瓦を複数枚、多段に積み重ねて畝状に延ばすことにより形成される棟瓦において、その棟瓦を構成するのし瓦が、地震や強風を受けたとき、棟瓦の内側に向かってずれるのを抑止する。【解決手段】のし瓦を複数枚、上下段に積み重ねて瓦屋根の頂部に畝状に延ばして形成される棟瓦に、その内方側の向きに上下段ののし瓦２２、２１がずれるのを抑止するずれ抑止金具４０が組み込まれている。抑止金具は、弾性金属板から曲げ加工や切欠け加工して製作されており、抑止金具の一端部４１は下段のし瓦の中央部において内方側端面寄りの部位に係止・固定されているが、他端部４２は相隣接して葺かれている２枚の上段のし瓦の端部において前記内方側端面を同時に当接する。【選択図】図１０
2006152736.tif 000002
【特許請求の範囲】
【請求項１】
半裁したのし瓦を複数枚、上下段に積み重ねて瓦屋根の頂部に畝状に延ばして形成される棟瓦（１０）において、下段のし瓦（２１）の内方寄りの部位に抑止金具（４０）を固定して、その抑止金具により上段のし瓦（２２）が棟瓦の内方に向かってずれるのを抑止するとともに、下段のし瓦の上面（Ｃ）に上面被係止部（３２）を設けて、その上面被係止部に上段のし瓦の下面（Ｄ）に設けた下面係止部（３１）を係止させることにより、上段のし瓦が棟瓦の外方に向かってずれるのを抑止したことを特徴とする棟瓦構造。
【請求項２】
前記抑止金具（４０）は、その一端部（４１）が前記下段のし瓦（２１）に係止・固定されており、他端部（４２）が前記上段のし瓦（２２）の内方側端面（Ｈ）に当接可能になっている請求項１記載の棟瓦構造。
【請求項３】
前記他端部（４２）が、前記瓦屋根の棟方向に隣接して葺かれる２枚の上段のし瓦（２２）の内方側端面（Ｈ）に同時に当接可能になっている請求項２記載の棟瓦構造。
【請求項４】
前記抑止金具（４０）は、金属加工された弾性金属板（M）からなり、その一端部（４１）が前記下段のし瓦（２１）に係止・固定されており、他端部（４２）が前記上段のし瓦（２２）の内方側端面（H）に当接可能になっているとき、該上段のし瓦を棟瓦の外方に付勢する押圧力を発揮している請求項２記載の棟瓦構造。
【請求項５】
前記抑止金具（４０）は、その一端部（４１）が前記下段のし瓦（２１）に係止・固定されており、他端部（４２）が、前記瓦屋根の棟方向に隣接して葺かれる２枚の上段のし瓦（２２）の内方側端面（Ｈ）に同時に当接可能になっている請求項４記載の棟瓦構造。
【請求項６】
前記他端部（４２）は、前記上段のし瓦（２２）の上面（Ｃ）に沿って折り曲げられて、該上段のし瓦が地震又は強風を受けたとき、上方へ浮き上がらないよう抑止されている請求項２記載の棟瓦構造。
【発明の詳細な説明】
【技術分野】
【０００１】
本発明は、瓦屋根の頂部に設けられる耐震性・耐強風性に優れた棟瓦の構造に関するものである。
【背景技術】
【０００２】
図１６に示すように、瓦屋根の頂部に設けられる従来から周知の畝状の棟瓦１０は、屋根の棟木１に葺かれた野地板２の頂部に桟木３を打ちつけ、その桟木３に係止・固定された屋根瓦５の面戸４の上に施工される（特公昭６０−３４６５９号公報）。
【０００３】
このように施工された棟瓦１０は、通常、前記面戸４に支持係止台１１ａ、１１ｂを介して係止される一対の台付きのし瓦１２ａ、１２ｂと、それらの台付きのし瓦１２ａ、１２ｂの上に載置され、それらの上面に突出形成されている水返し１３ａ、１３ｂに係止される一対の下段のし瓦２１ａ、２１ｂと、下段のし瓦２１ａ、２１ｂの上に載置され、その上面に形成されている水返し１５ａ、１５ｂに係止される一対の上段のし瓦２２ａ、２２ｂと、上段のし瓦２２ａ、２２ｂを跨ぐように、それらに上に載置される半円筒状の冠瓦２３とから構成されている。なお、前記一対の台付きのし瓦１２ａ、１２ｂ、下段のし瓦２１ａ、２１ｂ及び上段のし瓦２２ａ、２２ｂ等は、それぞれ正面が左右対称の前駆体を半割りに裁断する、いわゆる半裁することにより、形成される。
【０００４】
そして、前記野地板２、台付きのし瓦１２ａ、下段のし瓦２１ａ、上段のし瓦２２ａ、冠瓦２３、上段のし瓦２２ｂ、下段のし瓦２１ｂ、台付きのし瓦１２ｂ、野地板２によって包囲される棟瓦空間Ｓに粘土２４が詰められている。さらにこの構造の棟瓦１０において、下段のし瓦２１ａ、２１ｂの下面及び上段のし瓦２２ａ、２２ｂの下面には、支持係止片１４ａ、１４ｂ、１６ａ、１６ｂがそれぞれ突出形成されていて、それらが台付きのし瓦１２ａ、１２ｂの水返し１３ａ、１３ｂ及び下段のし瓦２１ａ、２１ｂの水返し１５ａ、１５ｂに係止されている。
【０００５】
従って、もし、前記棟瓦１０が地震や強風を受けた場合、図１６の左側Ａに存在する台付きのし瓦１２ａ、下段のし瓦２１ａ及び上段のし瓦２２ａは、左向き矢印Ｙａの向きにずれることはなく、図１６の右側Ｂに存在する台付きのし瓦１２ｂ、下段のし瓦２１ｂ及び上段のし瓦２２ｂは、右向き矢印Ｙｂの向きにずれることはない。すなわち、上下段のし瓦２１ａ、２１ｂ、２２ａ、２２ｂは、瓦屋根の頂部に畝状に形成される棟瓦１０において、前記頂部が延びる方向と直交する外方の向きに対してずれることはない。
【特許文献１】特公昭６０−３４６５９号公報
【発明の開示】
【発明が解決しようとする課題】
【０００６】
ところが、前記同様に棟瓦１０が地震や非常に強烈な風を受けたとき、図１６の左側Ａに存在する台付きのし瓦１２ａ、下段のし瓦２１ａ及び上段のし瓦２２ａ等は、右向き矢印Ｙｂの向きにずれ易く、図１６の右側Ｂに存在する台付きのし瓦１２ｂ、下段のし瓦２１ｂ及び上段のし瓦２２ｂ等は、左向き矢印Ｙａの向きにずれ易いという問題がある。なぜならば、棟瓦空間Ｓには粘土２４が詰められているものの、棟瓦１０が地震や強風を受けて、下段のし瓦２１ａ、２１ｂ、上段のし瓦２２ａ、２２ｂが急な変位を起こし、その慣性力が粘土２４に波及したとき、粘土２４は下段のし瓦２１ａ、２１ｂ、上段のし瓦２２ａ、２２ｂの内方向きの慣性力に抗し切れず、破壊されるからである。
【０００７】
そこで本発明者は、前記棟瓦が地震や強風を受けたとき、それを構成するのし瓦が棟瓦の内方向きにずれることのない棟瓦構造を提案すべく、鋭意、検討した結果、前記棟瓦の中に特定構造のずれ抑止手段を組み込めばよいという事実を見出し、本発明を完成した。従って、本発明の課題は、屋根瓦が葺かれている屋根の頂部に、半裁されたのし瓦を複数枚、上下段に積み重ねて畝状に延ばすことにより形成される棟瓦において、その棟瓦を構成するのし瓦が、地震や強風を受けたとき、棟瓦の内側に向かってずれるのを抑止できる構造の耐震性、耐強風性の棟瓦構造を提供することにある。
【課題を解決するための手段】
【０００８】
本発明は前記の課題を解決するために、半裁したのし瓦を複数枚、上下段に積み重ねて瓦屋根の頂部に畝状に延ばして形成される棟瓦において、下段のし瓦の内方寄りの部位に抑止金具を固定して、その抑止金具により上段のし瓦が棟瓦の内方に向かってずれるのを抑止するとともに、下段のし瓦の上面に上面被係止部を設けて、その上面被係止部に上段のし瓦の下面に設けた下面係止部を係止させることにより、上段のし瓦が棟瓦の外方に向かってずれるのを抑止するという手段を採用する。なお、ここに上下段なる用語は、のし瓦が上下２段しか存在しないという意味ではなく、半裁されたのし瓦あるいはこれに類する瓦によって多段かつ左右対称に屋根の頂部で葺かれた棟瓦において、上下段の瓦のうち、任意ののし瓦を下段のし瓦と称し、その直上もしくは屋根の棟方向に任意の幅ずらせて葺かれるのし瓦を上段のし瓦という。
【０００９】
この手段を採用することにより、棟瓦が地震や強風を受けたとき、前記抑止金具によって、上段のし瓦が棟瓦の内方に向かってずれるのを抑止されるとともに、下段のし瓦の上面被係止部に下面係止部が係止して、従来技術と同様に、上段のし瓦が棟瓦の外方に向かってずれるのが抑止され、結局、棟瓦を構成するそれぞれののし瓦は、地震や強風を受けたとき、屋根の頂部が延びる方向から逸れることはなく、ひいては屋根の棟瓦そのものが崩れたり変形したりすることはない。
【００１０】
前記抑止金具は、その一端部を前記下段のし瓦に係止・固定し、他端部が前記上段のし瓦の内方側端面に当接可能にする。このようにすると、棟瓦が地震や強風を受けて棟瓦の内方に向かって変位しようとすると、前記上段のし瓦の内方側端面は前記抑止金具の他端部、すなわち上端部に当接して前記内方への変位が阻止される（作用）。
【００１１】
さらに加えて、前記抑止金具の一端部、すなわち下端部を確実に下段のし瓦に固定するために、該抑止金具は下段のし瓦の略中央寄りの部位に係止・固定するとともに、抑止金具の使用点数を少なくして、かつ上段のし瓦の変位抑止効果、上段のし瓦の回転を阻止して上段のし瓦が屋根の頂部に沿って絶えず配向するようにするために、上段のし瓦の両端部に一つの抑止金具の上端部を当接させる。すなわち、屋根瓦の棟方向に隣接して葺かれる２枚の上段のし瓦の内方側端部に抑止金具の上端部を同時に当接させるという手段を採用する。
【００１２】
上記棟瓦構造において、さらに本発明の課題をより効果的に達成するために、前記抑止金具を金属加工された弾性金属板から製作して、その一端部を前記下段のし瓦に係止・固定し、他端部を前記上段のし瓦の内方側端面に当接できるようにする。このようにすると、前記抑止金具そのものが弾性金属板からできているとともに曲げ加工されているので、弾性変形可能な範囲内で前記抑止金具に対して、上下段のし瓦の施工時にのし瓦の外形寸法のばらつきを吸収させて、棟瓦を施工でき、ひいては棟瓦の施工効率を向上させることができる。
【００１３】
本発明は、上記の作用をより効果的にするために、弾性金属板からなる抑止金具の他端部に対して積極的に前記上段のし瓦を棟瓦の外方に付勢する押圧力を発揮させておくという手段を採用して、上段のし瓦が変位するとき大きな慣性力が発生しないようにしておく。
【００１４】
また、前記上段のし瓦の内方側端部に当接する他端部、特にその先端部を上段のし瓦の上面に沿って折り曲げて、該上段のし瓦が地震又は強風を受けたとき、上方へ浮き上がらないよう抑止するという手段を採用する。
【発明の効果】
【００１５】
従って、本発明は、棟瓦が地震や強風を受けたとき、従来の周知技術には全く開示がなかった抑止金具を棟瓦構造に組み込んだので、前記棟瓦を構成するのし瓦が棟瓦の内方にずれるのを抑止できるとともに、従来公知の手段と相俟って、屋根瓦が葺かれた瓦屋根が地震や強風を受けたとき、その頂部に延びる棟瓦が崩れたり蛇行したりすることを抑止するという優れた効果を発揮する。
【発明を実施するための最良の形態】
【００１６】
次に、図面を参照しながら本発明を実施するための最良の形態について詳述する。本発明に意味する棟瓦構造とは、瓦屋根の頂部に畝状に延びて形成される棟瓦を構成する種々の形状・構造の半裁したのし瓦と、それらののし瓦が棟瓦の内方側の向きにずれるのを抑止する抑止金具及び前記のし瓦の上面と下面に設けられたのし瓦の外方側の向きにずれるのを抑止する抑止構造との組合せをいう。
【００１７】
（棟瓦及びのし瓦の形状・構造）
本発明に係る棟瓦及びのし瓦も基本的には、図１６に示した周知の形状・構造と略同様の形状・構造をなしている。すなわち、図１５に示すようにこの棟瓦１０は、屋根瓦５に載置される一対の台付きのし瓦１２ａ、１２ｂと、それらの台付きのし瓦１２ａ、１２ｂの上に載置・係止される一対の下段のし瓦２１ａ、２１ｂと、それら下段のし瓦２１ａ、２１ｂの上に載置・係止される一対の上段のし瓦２２ａ、２２ｂと、上段のし瓦２２ａ、２２ｂの上に載置される半円筒状の冠瓦２３とから構成されている。しかしながら、本発明に係る棟瓦１０において前記台付きのし瓦１２ａ、１２ｂは、地震や強風を受けても棟瓦１０の外方側に向かってずれることはないのみならず、棟瓦１０の内方側に向かって殆どずれることはないように釘打ち等の係止・固定手段によって屋根瓦５もしくは屋根面に係止・固定される。また、台付きのし瓦は上下段のし瓦２１ａ、２２ａと同様ののし瓦を用いることができる。
【００１８】
前記下段のし瓦２１ａ、２１ｂ（以下において下段のし瓦を符号２１で示す）及び上段のし瓦２２ａ、２２ｂ（以下において上段のし瓦を符号２２で示す）は、図１及び図２に示すように、投影面が長方形をなす上面Ｃ及び下面Ｄを有し、図３及び図４に示すように、二つの短辺側端面Ｅ、Ｆが略円弧状をなすのし瓦前駆体６から、前記のし瓦の製造過程又は施工現場で製作される。施工現場でそれらを製作する場合、工具（図示なし）によりのし瓦前駆体６に衝撃を加えて、前記下面Ｄの長手方向中央に設けた分割誘導溝７を中心にして、前記のし瓦前駆体６を半裁する。
【００１９】
しかしながら、このとき使用されるのし瓦前駆体６は、周知のそれと構造が著しく相異し、図２〜図４及び図８に示すように、下面Ｄにおいて長辺側縁部に水返し３０が形成されているとともに、前記分割誘導溝７寄りの外方の四箇所に切頭角錐状の下面係止部３１が点在・形成されている。また、前記分割誘導溝７寄りの内方の四箇所に、後述する抑止金具が当接する当接突起３５が形成されている。
【００２０】
さらに、図１及び図３〜図６に示すように、のし瓦前駆体６の上面Ｃにおいて分割誘導溝７寄りの四箇所には、後述する下段のし瓦と上段のし瓦とを積み重ねて棟瓦に形成するとき、前記下面係止部３１が係止可能な切頭角錐状に上面被係止部３２が点在・形成されているとともに、図８に示すように、前記上面被係止部３２の短辺側端面Ｅ、Ｆ寄りの部位には、本発明に係るのし瓦を積み重ねて梱包するとき、前記下面係止部３１の先端部が入る、肉盗み部３３が形成されている。また、のし瓦前駆体６の上面Ｃ中央部において分割誘導溝７寄りの２箇所には、図１及び図７に示すように、後述する抑止金具の一部分が嵌入する係止孔３４が形成されている。
【００２１】
さらに、図９〜図１１に示すように、上記のし瓦前駆体６を半裁して得られた下段のし瓦２１及び上段のし瓦２２は、略横Ｊ又は横逆Ｊ字形の短辺側端面Ｅａ、Ｆａを備えており、前記水返し３０が存在する長辺側端面Ｇの背面関係にある長辺側端面Ｈは、前記のし瓦前駆体６を分割誘導溝７の位置で分割してできた分割端面になっている。本発明においてこの分割端面（長辺側端面）を以下において、内方側端面Ｈともいう。
【００２２】
（棟瓦構造の形成）
次に、図９〜図１４及び図１５に基づいて、本発明に係る下段のし瓦２１及び上段のし瓦２２を複数枚、上下段に積み重ねて棟瓦として施工する方法について説明する。屋根瓦の面戸の上に台付きのし瓦を周知の方法で固定して、後述するように、前記下段のし瓦２１及び上段のし瓦２２を複数枚積み重ねて瓦屋根の頂部を畝状に延ばし、棟瓦を完成させたとき、前記頂部が延びる方向と直交する方向に前記台付きのし瓦がずれないようにしておく。
【００２３】
次いでその台付きのし瓦の上に、複数枚の下段のし瓦２１を同一高さレベルに１枚ずつ敷設するとともに係止・固定させる。このように台付きのし瓦の上に葺かれた下段のし瓦２１の上に、図９及び図１０に示すように、上段のし瓦２２を従来技術と同様に、すなわち、屋根の棟が延びる方向に隣接して葺かれる２枚の下段のし瓦２１の間を跨ぐようにして上段のし瓦２２を敷設するとともに、下段のし瓦２１の上面被係止部３２と上段のし瓦２２の下面係止部３１とが係止するように、下段のし瓦２２を下段のし瓦２１より（それらにより棟瓦が形成されたとき、その棟瓦の内方寄りに）ずらせて積み重ねる。すると、図１１に示すように、前記下面係止部３１が上面被係止部３２に係止され、その結果、上段のし瓦２２が（図１１において）左向き矢印Ｙａの向きにずれるのが抑止される。また、このとき下面係止部３１が下段のし瓦２１の上面部Ｃに当接され、上段のし瓦２２の高さレベルを一定にして係止することができる。
【００２４】
（抑止金具の構造・形状）
次に、図１２に示すような形状・構造の抑止金具４０を使用して、下段のし瓦２１に対する上段のし瓦２２のずれを抑制する。勿論、前記台付きのし瓦１２に対する下段のし瓦２１のずれ抑止手段として、前記抑止金具４０を利用することもできるが、本明細書においては、本発明の根本的技術思想を代表的に具現化する態様として、任意の下段のし瓦２１を基準にしてその直上に葺かれる上段のし瓦２２のずれを抑止する態様について説明する。
【００２５】
本発明に係る抑止金具４０は、１枚の弾性金属板Ｍを原材料にして切欠き加工と曲げ加工とを組み合わせることにより製作される。すなわち、長方形をなす１枚の平らな弾性金属板Ｍの一端部４１を略直角に曲げ加工するとともに、予め他端部４２にその先端から中央にかけて縦方向に二つの切欠きを入れることにより形成した、他端部４２側を自由端とする中央分割片４３を前記一端部４１と同じ向きに曲げ加工する。そして、前記一端部４１及び中央分割片４３の先端を元の向きと同じ方向に曲げ加工して、当接部４４と係止片４５をそれぞれ形成し、前記当接部４４を下段のし瓦２１の下面Ｄに突出形成されている当接突起３５に当接できるようにするとともに、前記係止片４５を下段のし瓦２１の上面Ｃに設けられている係止孔３４に嵌入可能にする。
【００２６】
この抑止金具４０を、図９、図１２及び図１３に示すように、下段のし瓦２１の内方側端面Ｈ寄りの部位に固定する。すなわち、抑止金具４０の一端部４１と中央分割片４３の間に下段のし瓦２１をその内方側端面Ｈを先にして挿入し、前記一端部４１の当接部４４を下段のし瓦２１の当接突起３５に当接させるとともに、中央分割片４３の係止片４５を下段のし瓦２１の係止孔３４に嵌合させる。すると、抑止金具４０は、他端部４２を自由端として、下段のし瓦２１に片持ち支持される。
【００２７】
なお、前記中央分割片４３の長さＬ１は、一端部４１の長さＬ２より大きくすることにより、後述するように、前記一端部４１及び中央分割片４３が、他端部（先端部）４２を絶えず上段のし瓦２２の内方側端面Ｈに押圧するような付勢力を発生させ易くしておく。このように抑止金具４０を下段のし瓦２１に係止・固定することにより、棟瓦が地震や強風を受けて棟瓦の内方側に向かって変位しようとすると、上段のし瓦２２の内方側端面Ｈは抑止金具４０の他端部４２、すなわち上端部に当接して、図１３において右向き矢印Ｙｂの向きへの変位が阻止される。
【００２８】
最後に、上段のし瓦２２の上面Ｃから上方に突出している抑止金具４０の他端部４２の先端側を工具により折曲げ加工をして、図１０、図１２及び図１４に示すように、上段のし瓦２２の上面Ｃに前記上端部を沿わせれば、上段のし瓦２２及び下段のし瓦２１に対する抑止金具４０の係止・固定が完了し、上段のし瓦２２は、地震や強風を受けても、下段のし瓦２１から、図１４の上向き矢印Ｚの向きに浮き上がることはない。以下、同様にして、それらに隣接する他の上段のし瓦の上に同様に隣接する他の下段のし瓦を葺き、最後に、周知技術と同様に冠瓦２３を載せれば、本発明に係る棟瓦構造が完成する。この構造を採用することにより、従来のし瓦の係止・固定のために棟瓦の中に充填していた粘土２４の使用量を減少させる、もしくは使用をなくすことができる。
【００２９】
上記のように構成される本発明に係る棟瓦構造において、前記抑止金具４０は、次のような作用・効果を発揮する。第一に、抑止金具４０の一端部４１の当接部４４は、中央分割片４３の係止片４５と対峙しない向きに曲げ加工されているので、前記当接部４４が下段のし瓦２１に引っ掛かることなく、中央分割片４３のみを僅かに撓ませるだけで、下段のし瓦２１を容易に前記一端部４１と中央分割片４３との間に挿入できる。その結果、前記抑止金具４０を下段のし瓦２１に迅速に取り付けができる。
【００３０】
前記抑止金具４０の一端部４１側を下段のし瓦２１に取り付けると、抑止金具４０の他端部である先端部４２は自由端となり、下段のし瓦２１に対して抑止金具４０が片持ち支持される。そして、先端部４２は、前記当接部４４を支点として、図１２の矢印Ｘの向きに、回動可能になるが、中央分割片４３の係止片４５が上段のし瓦２１の係止孔３４に嵌入しているため、先端部４２の回動は所定の範囲に制限される。従って、前記一端部４１の長さＬ２と中央分割片４３の長さＬ１を所定の範囲内に収まるように設計することにより、抑止金具４０の先端部４２が上段のし瓦２２の内方側端面Ｈを押圧する付勢力を調節することができる。
【００３１】
前記抑止金具４０の一端部４１が、下段のし瓦２１の略中央寄りの部位に係止・固定されているので、抑止金具４０は下段のし瓦２１に確実に固定される。また抑止金具４０の他端部４２は、隣接する上段のし瓦２２間において、それらの内方側端部Ｈに同時に当接するので、抑止金具４０の使用点数を少なくできるとともに、上段のし瓦２２が回転するのを阻止する。
【００３２】
本発明に係る抑止金具４０は弾性を有する鋼板からできているとともに曲げ加工されているので、抑止金具４０は、弾性変形可能な範囲内で前記阻止金具４０に対して、上下段のし瓦２２、２１の施工時にそれらの外形寸法のばらつきを吸収できる。加えて、抑止金具４０は、所定の幅を有しているので、棟瓦の中に粘土が充填される場合には、粘土に対するのし瓦の変位抵抗は、抑止金具を使用しない従来技術のそれより増大する。そのため、従来技術に係るのし瓦に比較して、本発明に係るのし瓦のずれ抵抗性は増大する。
【００３３】
本発明は、その根本的技術思想を踏襲し発明の効果を著しく損なわない限度において、前記実施の形態の一部分を、例えば、次のように、変更して実施することができる。
（１）下段のし瓦２１の上面Cに突出形成されている上面被係止部３２を凹状の被係止孔とし、上段のし瓦２２の下面係止部３１を係止可能とすることができる。
（２）上段のし瓦２２の下面係止部３１を凹状の係止孔とし、下段のし瓦２１の上面Cに突出形成されている上面被係止部３２を係止可能とすることができる。
（３）抑止金具４０の一端部４１における当接部４４を中央分割片４３の係止片４５と対向する向きに変更するとともに、下段のし瓦２１の下面Ｄに前記当接片４４が係止可能な係止孔を設けることができる。
（４）一対の上下段のし瓦２２、２１を３段又は４段に積み重ねて棟瓦を構成するとき、下位にあるのし瓦がその上に存在するのし瓦のずれを抑止するように、本発明に係る抑止金具も複数段に設けることができる。
（５）上下段のし瓦２２、２１の上面Ｃに突出形成されている上面被係止部３２の長さを大きくして水切り機能を発揮するようにできる。
【産業上の利用可能性】
【００３４】
本発明は、瓦屋根の頂部に施工される棟瓦構造に広く採用できる。
【図面の簡単な説明】
【００３５】
【図１】本発明に係るのし瓦を製作するためののし瓦前駆体の上面図である。
【図２】同じく裏面図である。
【図３】同短辺側端面図である。
【図４】同じく他の短辺側端面図である。
【図５】右側面図である。
【図６】図２のＯ―Ｏ矢視断面図である。
【図７】図２のＰ―Ｐ矢視断面図である。
【図８】図２のＱ―Ｑ矢視断面図である。
【図９】本発明に係る棟瓦構造体を形成する過程において上段のし瓦に抑止金具の一端部を固定した状態を示す斜視図である。
【図１０】同様に抑止金具により下段のし瓦のずれを抑止した状態を示す斜視図である。
【図１１】上段のし瓦の上に下段のし瓦を積み重ねた状態を示す断面図である。
【図１２】本発明に係る抑止金具が上段のし瓦と下段のし瓦に取り付けられた状態を示す部分破断斜視図である。
【図１３】上段のし瓦に抑止金具の一端部を固定した状態を示す断面図である。
【図１４】同じく抑止金具により下段のし瓦のずれを抑止した状態を示す断面図である。
【図１５】棟瓦構造を示す断面図である。
【図１６】従来技術の棟瓦構造を示す断面図である。
【符号の説明】
【００３６】
１    棟木
２    野地板
３    桟木
４    面戸
５    屋根瓦
６    のし瓦前駆体
７    分割誘導溝
１０    棟瓦
１１ａ    支持係止台
１１ｂ    支持係止台
１２ａ    台付きのし瓦
１２ｂ    台付きのし瓦
１３ａ    水返し
１３ｂ    水返し
１４ａ    支持係止片
１４ｂ    支持係止片
１５ａ    水返し
１５ｂ    水返し
１６ａ    支持係止片
１６ｂ    支持係止片
２１ａ    下段のし瓦
２１ｂ    下段のし瓦
２２ａ    上段のし瓦
２２ｂ    上段のし瓦
２３    冠瓦
２４    粘土
３０    水返し
３１    下段係止部
３２    被係止突起
３３    肉盗み部
３４    係止孔
３５    当接突起
４０    抑止金具
４１    一端部
４２    他端部
４３    中央分割片
４４    当接部
４５    係止片
Ａ    左側
Ｂ    右側
Ｃ    上面
Ｄ    下面
Ｅ    短辺側端面
Ｆ    短辺側端面
Ｇ    長辺側端面
Ｈ    内方側端面
Ｍ    金属板
Ｌ１    長さ
Ｌ２    長さ
Ｓ    棟瓦空間
Ｘ    矢印
Ｙａ    左向き矢印
Ｙｂ    右向き矢印
Ｚ    上向き矢印
【図１】
2006152736.tif 000003
【図２】
2006152736.tif 000004
【図３】
2006152736.tif 000005
【図４】
2006152736.tif 000006
【図５】
2006152736.tif 000007
【図６】
2006152736.tif 000008
【図７】
2006152736.tif 000009
【図８】
2006152736.tif 000010
【図９】
2006152736.tif 000011
【図１０】
2006152736.tif 000012
【図１１】
2006152736.tif 000013
【図１２】
2006152736.tif 000014
【図１３】
2006152736.tif 000015
【図１４】
2006152736.tif 000016
【図１５】
2006152736.tif 000017
【図１６】
2006152736.tif 000018